【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】    【請求項１】  ビデオ表示装置であって、  画像を発生させるために通常のビデオ表示モードの間に付勢されるバックライト・ランプと、  入力電源オン制御信号源と、  入力電源オフ制御信号源と、  前記電源オフ制御信号に応答し、前記ランプに結合され、前記電源オフ制御信号の発生後の第１の期間の間、前記ランプを付勢された状態に保つと共に、前記第１の期間の終了後に前記ランプの付勢を止めるための第１のタイマーであって、前記第１の期間の間に前記電源オン制御信号が生じると、前記ランプが前記第１の期間の終了後に付勢を止められるのを防止されて、前記通常のビデオ表示モードの動作が再開される、前記第１のタイマーと、  前記電源オフ制御信号に応答し、前記第１の期間に電源オフ・モードに見せかけるための電源オフ表示器と、からなる前記ビデオ表示装置。    【請求項２】  前記表示器が、前記ランプに光学的に結合され且つ前記入力電源オフ制御信号に応答するライトバルブを含み、前記第１の期間に前記ライトバルブからの光出力をオフにし、前記第１の期間の間、電源オフ・モードに見せかける、請求項１記載のビデオ表示装置。    【請求項３】  前記表示器が更に、前記電源オフ制御信号に応答する光源を含み、前記第１の期間に前記光源の見かけを変化させる、請求項２記載のビデオ表示装置。    【請求項４】  前記光源が、発光ダイオードからなる、請求項３記載のビデオ表示装置。    【請求項５】  前記表示器が更に、前記電源オフ制御信号に応答して、前記第１の期間に前記音声変換器からの音声出力をオフにするための音声変換器を含む、請求項２記載のビデオ表示装置。    【請求項６】  前記第１の期間の開始後に、前記電源オフ制御信号の発生が、無視される、請求項１記載のビデオ表示装置。    【請求項７】  前記タイマーが前記電源オフ信号に応答して、前記第１の期間に続く第２の期間の間、前記ランプが付勢を止められるのを防止する、請求項１記載のビデオ表示装置。    【請求項８】  前記ランプが、液晶ディスプレイにおいてバックライトを供給する、請求項１記載のビデオ表示装置。    【請求項９】  前記ランプが、ＬＣＯＳ表示装置においてバックライトを供給する、請求項１記載のビデオ表示装置。 【請求項１０】  ビデオ表示装置であって、  バックライト・ランプからなる第１の照射源と、  ユーザの起動による電源オン制御信号およびユーザの起動による第２の制御信号の源と、を含み、  前記電源オン制御信号は、前記ランプに結合され、当該ランプが電源オン・モードの間に選択的に画像を発生できるようにし、  前記第２の制御信号に応答し、前記ランプに結合され、前記第２の制御信号の発生の後、第１の遅延期間の間に前記ランプに対して電源を供給し、前記第１の遅延期間の後に前記ランプの動作を不能にする第１のタイマーを含み、前記第１の遅延期間の間に前記電源オン制御信号が生じると、前記ランプの動作が不能にされるのが防止され、  前記第２の制御信号に応答し、前記第１の遅延期間の間に電源オフ・モードに見せかける表示器からなる第２の照射源を含む、前記ビデオ表示装置。 【請求項１１】  前記第１の遅延期間の間に前記電源オン制御信号が生じない場合には、前記ランプがオフになって電源���フ・モードを提供する、請求項１０記載のビデオ表示装置。 【請求項１２】  前記電源オン・モードの間と同じ大きさで前記第１の遅延期間の間に前記ランプが付勢される、請求項１０記載のビデオ表示装置。 【請求項１３】  前記第１の遅延期間の前に前記電源オン・モードを前記第２の照射源が示す、請求項１０記載のビデオ表示装置。 【請求項１４】  前記第２の照射源は、電源オフ・モードの間と前記第１の遅延期間の間とで同じ表示を提供する、請求項１０記載のビデオ表示装置。 【請求項１５】  前記電源オン・モードの間にリモコン・ユニットがユーザ・コマンドを提供するために使用され、当該装置において前記ランプの動作とは無関係な前記ユーザ・コマンドを実行し、前記ユーザ・コマンドが前記第１の遅延期間の間に提供される場合には、前記ユーザ・コマンドが無視され、実行されない、請求項１０記載のビデオ表示装置。 【請求項１６】  前記第２の制御信号に応答し、前記第１の遅延期間の後、ランプ・クールダウン遅延期間の終了の前に前記電源オン制御信号が生じる場合には、前記電源オン・モードが防止され、前記ランプ・クールダウン遅延期間の後に前記電源オン制御信号が生じる場合には、前記電源オン・モードに移るように、前記ランプに結合され、前記第１の遅延期間の後の前記ランプ・クールダウン遅延期間を設定する第２のタイマーをさらに含む、請求項１０記載のビデオ表示装置。 【請求項１７】  前記第２の照射源が、発光ダイオードからなる、請求項１０記載のビデオ表示装置。 【請求項１８】  ディスプレイ画面のコントラスト特性と輝度特性の少なくとも一方が前記第１の遅延期間の間に低下する、請求項１０記載のビデオ表示装置。 【請求項１９】  前記第１の遅延期間の間に音声出力がミュートされる、請求項１０記載のビデオ表示装置。 【請求項２０】  前記電源オン制御信号および第２の制御信号の各々が対応する電源トグル・コマンドを提供する、請求項１０記載のビデオ表示装置。 【請求項２１】  ビデオ表示装置であって、  バックライト・ランプと、  ユーザの起動による電源オン制御信号およびユーザの起動による第２の制御信号の源と、を含み、  前記電源オン制御信号は、前記ランプに結合され、電源オン・モードの間に前記ランプに選択的にエネルギを付与して画像を発生させ、  前記第２の制御信号に応答し、前記ランプに結合され、前記第２の制御信号の発生の後、第１の遅延期間の間に前記ランプが付勢された状態を維持し、前記第１の遅延期間の後に前記ランプに付与される前記エネルギを減少させて前記ランプの動作を不能にする第１のタイマーと、  前記第２の制御信号に応答し、前記第１の遅延期間の後、ランプ・クールダウン遅延期間の終了の前に前記電源オン制御信号が発生する場合には、前記電源オン・モードが防止され、前記ランプ・クールダウン遅延期間の後に前記電源オン制御信号が生じる場合には、前記電源オン・モードに移るように、前記第１の遅延期間の後の前記ランプ・クールダウン遅延期間を設定する第２のタイマーと、を含む、前記ビデオ表示装置。 【請求項２２】  電源オフ制御信号に応答し、前記第１の遅延期間の間に電源オフ・モードに見せかける電源オフ表示器を更に含む、請求項２１記載のビデオ表示装置。 【請求項２３】  前記表示器が、前記ランプに光学的に結合され且つ前記電源オフ制御信号に応答するライトバルブを含み、前記第１の遅延期間に前記ライトバルブからの光出力をオフにし、前記第１の遅延期間の間に電源オフ・モードに見せかける、請求項２２記載のビデオ表示装置。 【請求項２４】  前記表示器が更に、前記電源オフ制御信号に応答する光源を含み、前記第１の遅延期間に前記光源の見かけを変化させる、請求項２３記載のビデオ表示装置。 【請求項２５】  前記光源が、発光ダイオードからなる、請求項２４記載のビデオ表示装置。 【請求項２６】  前記表示器が、前記電源オフ制御信号に応答して、前記第１の遅延期間に前記音声変換器からの音声出力をオフにするための音声変換器を含む、請求項２２記載のビデオ表示装置。 【請求項２７】  前記第１の遅延期間の開始後に、前記電源オフ制御信号の発生が、無視される、請求項２１記載のビデオ表示装置。 【請求項２８】  前記ランプが、液晶ディスプレイにおいてバックライトを供給する、請求項２１記載のビデオ表示装置。 【請求項２９】  ランプが、ＬＣＯＳ表示装置においてバックライトを供給する、請求項２１記載のビデオ表示装置。